(57)【要約】【課題】シール材の仕上がり面を外壁パネル表面よりも奥まらせた位置とする際に好適な外壁パネル及びシール材の充填方法を提供する。【解決手段】隣り合う外壁パネル１１の間に、湿式シール材５１が充填される目地部３が形成されてなる外壁パネル１１であって、外壁パネル１１の端面における表面側の隅角１２から所定寸法奥まった位置まで貼着され、湿式シール材非接触領域４１を覆う第一のテープ８１と、第一のテープ８１における奥側の側端縁８１ａよりも更に奥側の位置に貼着され、湿式シール材接触領域４２を覆う第二のテープ８２と、を備えることを特徴とする。【選択図】図１
2016075111.tif 000002
【特許請求の範囲】
【請求項１】
隣り合う外壁パネル本体の間に、湿式シール材が充填される目地部が形成されてなる外壁パネルであって、
前記外壁パネル本体の端面における表面側の隅角から所定寸法奥まった位置まで貼着され、湿式シール材非接触領域を覆う第一のテープと、
前記第一のテープにおける奥側の側端縁よりも更に奥側の位置に貼着され、湿式シール材接触領域を覆う第二のテープと、を備えることを特徴とする外壁パネル。
【請求項２】
前記第一のテープと前記第二のテープとは予め分離されていることを特徴とする請求項１に記載の外壁パネル。
【請求項３】
前記第二のテープは、前記第一のテープに重なるように貼着されていることを特徴とする請求項１又は２に記載の外壁パネル。
【請求項４】
前記外壁パネル本体の端面には、出隅部又は入隅部が形成され、
前記第一のテープにおける奥側の側端縁は、前記出隅部又は前記入隅部に一致するように貼着されていることを特徴とする請求項１乃至３のいずれか１項に記載の外壁パネル。
【請求項５】
前記湿式シール材非接触領域にはプライマーが塗布され、前記プライマー上に前記第二のテープが貼着されていることを特徴とする請求項１乃至４のいずれか１項に記載の外壁パネル。
【請求項６】
前記プライマーは、前記第一のテープの貼着後に塗布されることを特徴とする請求項５項に記載の外壁パネル。
【請求項７】
前記目地部は、断面視コ字状の凹部を形成する側面部と底面部とを有し、
前記第二のテープは、前記側面部から前記底面部にかけて貼着されていることを特徴とする請求項１に記載の外壁パネル。
【請求項８】
前記第一のテープ及び前記第二のテープは、透視性を有する素材により一体成形されており、前記湿式シール材非接触領域と前記湿式シール材接触領域との境界線上には分離機構を備えることを特徴とする請求項１に記載の外壁パネル。
【請求項９】
前記第一のテープと前記第二のテープとは一体成形されており、前記湿式シール材非接触領域と前記湿式シール材接触領域との境界は入隅部に設定されていることを特徴とする請求項１に記載の外壁パネル。
【請求項１０】
隣り合う外壁パネル本体の間に形成される目地部に充填されるシール材の充填方法であって、
請求項１〜９のいずれか１項に記載の外壁パネルを建物の外周部に取り付けて外壁を形成する工程と
前記第二のテープを剥がす工程と、
前記湿式シール材を前記第一のテープの奥側の側端縁近傍まで充填する工程と、
前記第一のテープを剥がす工程と、
を備えることを特徴とするシール材の充填方法。
【発明の詳細な説明】
【技術分野】
【０００１】
本発明は、外壁パネル及びシール材の充填方法に関する。
【背景技術】
【０００２】
住宅建物等の建築形態の一つとして、建物の外壁を面一状に並設した複数の外壁パネルにより構成する場合がある。このような外壁構造では、隣接する外壁パネル間に形成される隙間、すなわち目地には、防水性等を確保するためにシーリング材を装填するのが通常である。
【０００３】
上記目地にシーリング材を装填する際には、養生シート（保護テープ）を使用することが従来から知られている。例えば下記特許文献１では、外壁パネル（建材パネル）に貼着された養生シートを使用して目地にシーリング材を装填している。より詳細には、当該養生シートは、外壁パネル表面に貼着される表面シートと、外壁パネル端面に貼着される端面シートとからなり、当該端面シートは、端面シートと表面シートとの境界線に設けられた目印境界線の位置で切り離すことができるように構成されている。このような養生シートが貼着された状態で、施工現場に運送され、施工直前に端面シートのみを目印境界線に沿って剥離して目地にシーリング材が装填されるようになっている。
【先行技術文献】
【特許文献】
【０００４】
【特許文献１】特開２００１−３２３６３１号公報
【発明の概要】
【発明が解決しようとする課題】
【０００５】
ところで、上記特許文献１に記載されたシーリング材の装填方法にあっては、シーリング材を外壁パネルの表面まで充填している。複数の外壁パネルから構成される外壁構造によっては、シーリング材の仕上がり面を外壁パネルの表面から奥まった位置とする場合があるが、このような奥まった位置にシーリング材を充填することについては、上記特許文献１に記載されていない。また上記特許文献１には、外壁パネルの表面に貼着された表面シートについて記載されているものの、当該表面シートは外壁パネル表面の汚れを防止する機能を有しているだけであり、シーリング材を充填する際の目安としての機能は有していなかった。
【０００６】
本発明はこのような課題に鑑みてなされたものであり、シール材の仕上がり面を外壁パネル表面よりも奥まらせた位置とする際に好適な外壁パネル及びシール材の充填方法を提供することを目的とする。
【課題を解決するための手段】
【０００７】
上記課題を解決するために本発明に係る外壁パネルは、隣り合う外壁パネル本体の間に、湿式シール材が充填される目地部が形成されてなる外壁パネルであって、前記外壁パネル本体の端面における表面側の隅角から所定寸法奥まった位置まで貼着され、湿式シール材非接触領域を覆う第一のテープと、前記第一のテープにおける奥側の側端縁よりも更に奥側の位置に貼着され、湿式シール材接触領域を覆う第二のテープと、を備えることを特徴とする。
【０００８】
本発明の外壁パネルでは、第一のテープが湿式シール材非接触領域を覆っているため、湿式シール材が湿式シール材非接触領域にはみ出すことを抑制することができ、外壁パネルを美しく仕上げることができる。また、第二のテープが湿式シール材接触領域を覆っているため、湿式シール材接触領域への汚染防止が図られ、湿式シール材による接着（止水）を確実に行うことができる。また、第一のテープが湿式シール材充填の目安になり作業性を向上させることができる。また、外壁パネル表面から所定寸法奥まった位置に貼着される第一のテープの奥側の側端縁よりも更に奥側の位置に湿式シール材が充填されるので、湿式シール材の仕上げ面を外壁パネル表面よりも奥まらせた位置とすることができる。
【０００９】
また本発明に係る外壁パネルでは、前記第一のテープと前記第二のテープとは予め分離されていることも好ましい。
【００１０】
この好ましい態様では、第一のテープと第二のテープとが予め分離されているので、第一のテープの側端縁の直線性が保たれ（ガタやヨレにならない）、湿式シール材充填前の段階での第一のテープの剥がれを生じにくくすることができる。
【００１１】
また本発明に係る外壁パネルでは、前記第二のテープは、前記第一のテープに重なるように貼着されていることも好ましい。
【００１２】
この好ましい態様では、第二のテープが第一のテープに重なるように貼着されているので、第一のテープの剥がれを抑制することができ、第一のテープの剥がれによる塵埃等の侵入を抑制することができる。
【００１３】
また本発明に係る外壁パネルでは、前記外壁パネル本体の端面には、出隅部又は入隅部が形成され、前記第一のテープにおける奥側の側端縁は、前記出隅部又は前記入隅部に一致するように貼着されていることも好ましい。
【００１４】
この好ましい態様では、出隅部又は入隅部が第一のテープを貼着する際に、位置決めの目安になり、第一のテープの貼着作業を効率良く行うことができる。
【００１５】
また本発明に係る外壁パネルでは、前記湿式シール材非接触領域にはプライマーが塗布され、前記プライマー上に前記第二のテープが貼着されていることも好ましい。
【００１６】
この好ましい態様では、湿式シール材接触領域にプライマーが塗布され、当該プライマー上に第二のテープが貼着されているので、ＡＬＣの粉等の塵埃が付着しやすいプライマーが汚染されることを抑制することができる。
【００１７】
また本発明に係る外壁パネルでは、前記プライマーは、前記第一のテープの貼着後に塗布されることも好ましい。
【００１８】
この好ましい態様では、第一のテープの貼着後にプライマーが塗布されるので、第一のテープが貼着されている領域にプライマーがはみ出すことを抑制することができ、外壁パネルを美しく仕上げることができる。
【００１９】
また本発明の外壁パネルでは、前記目地部は、断面視コ字状の凹部を形成する側面部と底面部とを有し、前記第二のテープは、前記側面部から前記底面部にかけて貼着されていることも好ましい。
【００２０】
この好ましい態様では、第二のテープは、目地部の側面部から底面部にかけて貼着されているので、底面部及び側面部とで形成される入隅部（谷部）に、例えばカッターナイフ等を用いて第二のテープを切断することにより、第二のテープにおける底面部側を残存させることができる。このため、湿式シール材が底面部及び側面部に接着（三面接着）することを防止することができる。
【００２１】
また本発明に係る外壁パネルでは、前記第一のテープ及び前記第二のテープは、透視性を有する素材により一体成形されており、前記湿式シール材非接触領域と前記湿式シール材接触領域との境界線上には分離機構を備えることも好ましい。
【００２２】
この好ましい態様では、第一のテープと第二のテープとが透視性を有するので、湿式シール材接触領域と湿式シール材非接触領域との境界線上に分離機構の位置合わせをして貼着する作業を行いやすくすることができる。
【００２３】
また本発明に係る外壁パネルでは、前記第一のテープと前記第二のテープとは一体成形されており、前記湿式シール材非接触領域と前記湿式シール材接触領域との境界は入隅部に設定されていることも好ましい。
【００２４】
この好ましい態様では、第一のテープと第二のテープとが一体成形されているので貼着作業を容易にすることができる。また湿式シール材非接触領域と湿式シール材接触領域との境界が入隅部に設定されているので、当該入隅部にカッターナイフ等の刃物を当てて引くことで、第一のテープ及び第二のテープの分離作業を容易かつ正確に行うことができる。
【００２５】
また本発明に係る外壁パネルでは、隣り合う外壁パネル本体の間に形成される目地部に充填されるシール材の充填方法であって、請求項１〜９のいずれか１項に記載の外壁パネルを建物の外周部に取り付けて外壁を形成する工程と、前記第二のテープを剥がす工程と、前記湿式シール材を前記第一のテープの奥側の側端縁近傍まで充填する工程と、前記第一のテープを剥がす工程と、を備えることを特徴とする。
【発明の効果】
【００２６】
本発明によれば、シール材の仕上げ面を外壁パネル表面よりも奥まらせた位置とする際に好適な外壁パネル及びシール材の充填方法を提供することができる。
【図面の簡単な説明】
【００２７】
【図１】本発明の第一実施形態における外壁パネルの間に形成される目地部の概略構成を示す断面図である。
【図２】図２（Ａ）−（Ｆ）は本発明の第一実施形態におけるシール材の充填方法を概略的に示す断面図である。
【図３】本発明の第二実施形態における外壁パネルの間に形成される目地部の概略構成を示す断面図である。
【図４】図４（Ａ）−（Ｅ）は本発明の第二実施形態におけるシール材の充填方法を概略的に示す断面図である。
【図５】本発明の第三実施形態における外壁パネルの間に形成される目地部の概略構成を示す断面図である。
【図６】本発明の第四実施形態における外壁パネルの間に形成される目地部の概略構成を示す断面図である。
【発明を実施するための形態】
【００２８】
以下添付図面を参照しながら本発明の実施形態について説明する。説明の理解を容易にするため、各図面において同一の構成要素に対しては可能な限り同一の符号を付して、重複する説明は省略する。
【００２９】
まず、図１を参照しながら本発明の第一実施形態における外壁パネル１１（外壁パネル本体）の構成について説明する。図１は、隣り合う外壁パネル１１間に形成される溝３（目地部）の概略構成を示す断面図である。
【００３０】
なお、図１にて外壁パネル１１の上側が外気側であると共に下側が室内側であって、以下の説明においては、図１中の外壁パネル１１の上側（上方向）を当該外壁パネル１１の「表面側（表面方向）」と称し、図１中の外壁パネル１１の下側（下方向）を当該外壁パネル１１の「奥側（奥方向）」又は「裏面側（裏面方向）」と称することとする。また外壁パネル１１の中心側（中心側に向かう方向）を当該外壁パネル１１の「内側（中心方向）」と称し、外壁パネル１１の端部側を当該外壁パネル１１の「外側」と称することとする。
【００３１】
外壁パネル１１は、例えば一般的に流通しているＡＬＣ（Autoclaved Light-weight Concrete；軽量気泡コンクリート）からなる方形の板状部材であり、鉄骨造建物の外周部に並べて取り付けられて建物の外壁１を構成するものである。外壁パネル１１の他の具体例としては、ＰＣａ板、ＧＲＣ、押出し成形セメント板、窯業系サイディング、金属サイディング、塗装鋼板、金属パネル、ガラス、石材等が挙げられる。
【００３２】
図１に示すように、外壁パネル１１の表面側の端縁部は切り欠かれており、複数の外壁パネル１１が連接されることによって、隣り合う外壁パネル１１の間に溝３が形成される。当該溝３には、後述するように段部３１２が形成されている（図１等参照）。段部３１２は、溝３の両側面に、溝３を途中から幅狭にするように形成されている（図１等参照）。このような段部３１２により、溝３は、表面側の第一溝部３１と、奥側（底面側）の第二溝部３２とに区画される。この場合、図からも明らかなように、第二溝部３２は第一溝部３１よりも幅狭に形成されている（図１等参照）。
【００３３】
第一溝部３１及び第二溝部３２について更に説明する。図１に示すように、断面視において、第一溝部３１の両側面（隣り合う外壁パネル１１間の溝３における表面側の面）が面取部３１１に対応する。第一溝部３１よりも奥側に形成される第二溝部３２は、断面視コ字状の凹部を形成する一対の側面部３２１と底面部３２２とを有する。言い換えれば、断面視において、第二溝部３２の両側面（隣り合う外壁パネル１１間の溝３における奥側の面）が側面部３２１に対応し、第二溝部３２の底面が底面部３２２に対応する。
【００３４】
なお、詳細は後述するが、当該第二溝部３２にはプライマー６１が塗布され、当該プライマー６１上にシール材（図１では図示せず）が打設される。このように本実施形態では、第二溝部３２にはシール材が打設され、第一溝部３１にはシール材が打設されないようになっている。本実施形態では、シール材が打設されない領域（シール材と接触しない領域）、すなわち、面取部３１１及び段部３１２を含む領域（外壁パネル１１表面側の隅角１２から外壁パネル１１の裏面側に向かって所定寸法奥まった位置までの領域）を湿式シール材非接触領域４１と称し、シール材が打設される領域（シール材と接触しない領域）、すなわち、側面部３２１と底面部３２２とを含む領域（外壁パネル１１の隅角１２から外壁パネル１１の奥側（裏面側）に向かって所定寸法奥まった位置よりも更に奥側の位置までの領域）を湿式シール材接触領域４２と称することとする。
【００３５】
なお、上述した溝３における面取部３１１と、段部３１２と、側面部３２１とを含む面が、本発明における外壁パネル１１の「端面」に相当するものである。当該端面は、断面視で溝３の両側に対向して配置されるものである。また、面取部３１１、段部３１２、側面部３２１、底面部３２２の形状としては、図１に示したような平面形状に限定されず、例えば、面取部３１１及び側面部３２１について、溝３（第一溝部３１及び第二溝部３２）が途中から幅狭になるように曲面形状として構成しても良く、様々な形状が選択され得る。
【００３６】
続いて、上述した隣り合う外壁パネル１１の間に形成された溝３に貼着される第一のテープ８１及び第二のテープ８２について説明する。
【００３７】
図１に示すように、第一のテープ８１は、湿式シール材非接触領域４１（面取部３１１及び段部３１２）を覆うように貼着される。言い換えれば、第一のテープ８１は、外壁パネル１１表面側の隅角１２から外壁パネル１１の裏面側に向かって所定寸法奥まった位置に形成された段部３１２まで貼着される。
【００３８】
第二のテープ８２は、湿式シール材接触領域４２（側面部３２１及び底面部３２２）を覆うように貼着される。言い換えれば、第二のテープ８２は、外壁パネル１１表面側の隅角１２から外壁パネル１１の裏面側に向かって所定寸法奥まった位置に形成された段部３１２から、当該段部３１２よりも更に奥側の位置に形成された側面部３２１及び底面部３２２まで貼着される。
【００３９】
第一のテープ８１について更に説明する。第一のテープ８１の奥側の側端縁８１ａが、側面部３２１と段部３１２とが交差することで形成される出隅部Ｃ２（段部３１２の外側端部）に一致するように第一のテープ８１が貼着されることが好ましい。また、第一のテープ８１の奥側の側端縁８１ａは、面取部３１１と段部３１２とが交差することで形成される入隅部Ｃ３（段部３１２の内側端部）に一致するように貼着されることが好ましい。本実施形態では、この出隅部Ｃ２（頂部）又は入隅部Ｃ３（谷部）が、湿式シール材非接触領域４１（面取部３１１及び段部３１２）と湿式シール材接触領域４２（側面部３２１及び底面部３２２）との境界として設定されるものである。このように出隅部Ｃ２又は入隅部Ｃ３が設定されることで、第一のテープ８１を湿式シール材非接触領域４１に貼着する際に位置決めの目安とすることができ、第一のテープ８１の貼着作業を効率良く行うことができる。
【００４０】
また、第一のテープ８１は、第二のテープ８２とは予め分離されている。このように第一のテープ８１と第二のテープ８２とが予め分離されているので、第一のテープ８１の側端縁８１ａの直線性が保たれ（ガタやヨレにならない）、シール材充填前の段階での第一のテープ８１の剥がれを生じにくくすることができる。
【００４１】
また、第二のテープ８２は、第一のテープ８１に重なるように貼着されている。より詳細には、図１に示すように、第二のテープ８２の方が第一のテープ８１よりも外壁パネル１１本体の表面側になるように、第二のテープ８２の端部が、第一のテープ８１の端部に重なるように貼着されている。このように第二のテープ８２が貼着されることで、湿式シール材非接触領域４１に貼着されている第一のテープ８１の剥がれを抑制することができるので、湿式シール材非接触領域４１へのシール材のはみ出しを更に抑制することができる。また、第一のテープ８１の剥がれによる塵埃等の侵入を抑制することができる。
【００４２】
また、上述したように、湿式シール材接触領域４２にはプライマー６１が塗布されている。そして、当該プライマー６１が塗布されている表面、すなわち湿式シール材の表面が第二のテープ８２で覆われている。湿式シール材接触領域４２にプライマー６１が塗布されている場合、例えばＡＬＣの粉等の塵埃がプライマー６１に付着しやすいので、このようにプライマー６１の表面を第二のテープ８２で覆うことにより、湿式シール材接触領域４２の汚染抑制効果を更に高めることができる。
【００４３】
また、プライマー６１は、第一のテープ８１が湿式シール材非接触領域４１に貼着された後に塗布されている。このようにプライマー６１を塗布することで、プライマー６１が湿式シール材非接触領域４１にはみ出すことを抑制することができ、外壁パネル１１を美しく仕上げることができる。
【００４４】
また、第二のテープ８２は、第二溝部３２における側面部３２１及び底面部３２２にかけて貼着されている。当該側面部３２１と底面部３２２とで形成される入隅部Ｃ１（谷部）で、例えばカッターナイフ等（図示せず）を用いて第二のテープ８２を切断することにより、第二のテープ８２における底面部３２２側を残存させることができる。その結果、第二溝部３２に充填される湿式シール材（図１では図示せず）の三面接着（底面部３２２及び一対の側面部３２１の接着）を防止することができる。
【００４５】
続いて図２（Ａ）−（Ｆ）を参照しながら、上述した構造を備える外壁パネル１１の溝３にシール材を充填する方法について説明する。図２（Ａ）−（Ｆ）は、本発明の第一実施形態におけるシール材の充填方法を概略的に示す断面図である。図２（Ａ）は、第一のテープ貼着工程、図２（Ｂ）は、プライマー塗布工程、図２（Ｃ）は、第二のテープ貼着工程、図２（Ｄ）は、第二のテープ剥離工程及びシーリング打設工程、図２（Ｅ）は、シーリング仕上げ工程、図２（Ｆ）は、第一のテープ剥離工程を説明するための図である。
【００４６】
（第一のテープ貼着工程）
図２（Ａ）に示すように、隣り合う外壁パネル１１間の溝３における面取部３１１及び段部３１２に第一のテープ８１を貼着する。
【００４７】
（プライマー塗布工程）
次に、図２（Ｂ）に示すように、第二溝部３２（シーリングポケット）における側面部３２１及び底面部３２２にプライマー６１を塗布する。
【００４８】
（第二のテープ貼着工程）
プライマー６１塗布後、図２（Ｃ）に示すように、プライマー６１を塗布した面（側面部３２１及び底面部３２２）に第二のテープ８２を貼着する。
【００４９】
（第二のテープ剥離工程及びシーリング打設工程）
次に、第二のテープ８２を剥がして、シール材５１を第二溝部３２に打設する。シール材５１は、第一のテープ８１における奥側の側端縁８１ａ近傍まで充填される。
【００５０】
第二溝部３２に打設されるシール材５１は、外壁パネル１１間の連接部を水密構造とするものである。シール材５１としては、外壁パネルの材質等に応じて一般的に流通している湿式シーリング材を適宜選択して用いることができ、特にＡＬＣからなる外壁パネルに対しては、柔軟性に富み、地震等の外力により変形した際に母材の破壊を生じさせにくい変成シリコーン系、アクリルウレタン系、ポリウレタン系等のシーリング材が好ましい。また、具体例として、ＪＩＳ Ａ ５７５８：１９９７に規定されるシリコーン系、変性シリコーン系、ポリサルファイド系、アクリルウレタン系、ポリウレタン系、変性ポリサルファイド系、アクリル系、ＳＢＲ系、ブチルゴム系、ポリイソブチレン系のものなどが挙げられる。ペースト状のシール材５１は例えばシーリングガンを用いて第二溝部３２に打設され、その後、へらを用いてその表面５１ａを加圧することで第二溝部３２に充填されると同時にシール材５１の表面５１ａが平滑に仕上げられる。
【００５１】
（シーリング仕上げ工程）
そして、シール材５１が第二溝部３２に打設された後、例えばへらを用いてシール材５１の表面５１ａを加圧することで、第二溝部３２に充填されると同時に第二溝部３２からはみ出した余分なシール材５１ｂ（図２（Ｅ）参照）を除去して、シール材５１の表面５１ａ（仕上がり面）を平滑に仕上げる。
【００５２】
（第一のテープ剥離工程）
最後に、図２（Ｆ）に示すように、外壁パネル１１の面取部３１１及び段部３１２に貼着された第一のテープ８１を剥がすことで、シール材５１を第二溝部３２に充填する作業が完了となる。
【００５３】
以上、図２（Ａ）〜図２（Ｆ）を参照しながら説明したように、本実施形態では、外壁パネル１１表面よりも奥まった位置に形成された第二溝部３２にシール材５１を充填する。より詳細には、外壁パネル１１表面から所定寸法奥まった位置に貼着される第一のテープ８１の奥側の側端縁８１ａよりも更に奥側の位置に形成された第二溝部３２にシール材５１が充填される。このようにシール材５１が充填されるため、シール材５１の仕上げ面を外壁パネル１１表面から所定寸法（第一溝部３１の深さ分）奥まらせた位置とすることができる。
【００５４】
また本実施形態では、上述したように、第一のテープ８１が湿式シール材非接触領域４１を覆っているため、シール材５１が湿式シール材非接触領域４１にはみ出すことを抑制することができ、外壁パネル１１を美しく仕上げることができる。また、第二のテープ８２が湿式シール材接触領域４２を覆っているため、湿式シール材接触領域４２への汚染防止が図られ、シール材５１による接着（止水）を確実に行うことができる。また、第一のテープ８１がシール材５１充填の目安になり作業性を向上させることができる。
【００５５】
（第二実施形態）
続いて、図３を参照しながら本発明の第二実施形態における外壁パネル１１の構成について説明する。図３は、隣り合う外壁パネル１１間に形成される溝３の概略構成を示す断面図である。図３に示す外壁パネル１１は、第一実施形態で示した外壁パネル１１における第一のテープ８１と第二のテープ８２とを一体成形に変化させたもので、それ以外の構成及び機能は第一実施形態の外壁パネル１１と同じである。したがって、第一実施形態の外壁パネル１１と同じ部分については第一実施形態のものと同一の符号を用い、それらについての説明は省略する。
【００５６】
図３に示すように、隣り合う外壁パネル１１間に形成される溝３には、保護テープ１８１が貼着されている。より詳細には、保護テープ１８１は、外壁パネル１１の表面側の隅角１２から面取部３１１、段部３１２、側面部３２１及び底面部３２２にかけて貼着されている。言い換えれば、保護テープ１８１は、面取部３１１及び段部３１２を含む湿式シール材非接触領域４１と、側面部３２１及び底面部３２２を含む湿式シール材接触領域４２を覆うように貼着されている。保護テープ１８１は、透視性を有する素材により一体成形されている。保護テープ１８１における湿式シール材非接触領域４１と湿式シール材接触領域４２との境界線上には、例えばミシン目１９１等の分離機構が設けられ、当該ミシン目１９１で保護テープ１８１を分離することが可能となっている。保護テープ１８１は透視性を有するので、湿式シール材非接触領域４１と湿式シール材接触領域４２との境界線上に分離機構を位置合わせする作業が容易となり、保護テープ１８１の分離作業を容易かつ正確に行うことができる。
【００５７】
続いて、図４（Ａ）−（Ｅ）を参照しながら図３に示した構造を備える外壁パネル１１の溝３にシール材を充填する方法について説明する。図４（Ａ）−（Ｅ）は、本発明の第二実施形態におけるシール材の充填方法を概略的に示す断面図である。図４（Ａ）は、プライマー塗布工程、図４（Ｂ）は、保護テープ貼着工程、図４（Ｃ）は、シーリング打設工程、図４（Ｄ）は、シーリング面仕上げ工程、図４（Ｅ）は、保護テープ剥離工程をそれぞれ説明するための図である。
【００５８】
（プライマー塗布工程）
まず、図４（Ａ）に示すように、隣り合う外壁パネル１１間に形成されている溝３のうち、第一溝部３１よりも奥側に形成されている第二溝部３２の表面上にプライマー６１を塗布する。具体的には、第二溝部３２の側面部３２１及び底面部３２２にプライマー６１を塗布する。
【００５９】
（保護テープ貼着工程）
塗布したプライマー６１を乾燥させた後、図４（Ｂ）に示すように、保護テープ１８１を第一溝部３１における湿式シール材非接触領域４１及び第二溝部３２における湿式シール材接触領域４２に貼着する。保護テープ１８１における湿式シール材非接触領域４１と湿式シール材接触領域４２との境界線上にはミシン目１９１等の分離機構が設けられている。
【００６０】
（シーリング打設工程）
次に、図４（Ｃ）に示すように、第二溝部３２に貼着された保護テープ１８１を剥離し、シール材５１を第二溝部３２に打設する。保護テープ１８１は、湿式シール材非接触領域４１と湿式シール材接触領域４２との境界線上（図４（Ｃ）の出隅部Ｃ２）で剥がされる。シール材５１は、第一のテープ８１における奥側の側端縁８１ａ近傍まで充填される。
【００６１】
（シーリング面仕上げ工程）
第二溝部３２にシール材５１が打設された後、例えばへらを用いてシール材５１の表面５１ａを加圧することで、シール材５１を第二溝部３２に充填すると同時に、図４（Ｄ）に示すような第二溝部３２からはみ出した余分なシール材５１ｂを除去して、シール材５１の表面５１ａを平滑に仕上げる。
【００６２】
（第一のテープ剥離工程）
最後に、図４（Ｅ）に示すように、第一溝部３１、言い換えれば湿式シール材非接触領域４１に残存している保護テープ１８１を剥がすことで、シール材５１の充填作業が完了となる。
【００６３】
以上、図４（Ａ）〜（Ｅ）に参照しながら説明したように、保護テープ１８１を一体成形した場合においても、外壁パネル１１の間に形成される溝３に充填されるシール材５１の仕上がり面を、外壁パネル１１の表面から所定寸法（第一溝部３１の深さ分）、奥まった位置とすることができる。
【００６４】
（第三実施形態）
続いて、図５を参照しながら本発明の第三実施形態における外壁パネル１１の構成について説明する。図５は、隣り合う外壁パネル１１間に形成される溝３の概略構成を示す断面図である。図５に示す外壁パネル１１は、第一実施形態で示した外壁パネル１１における段部３１２及び側面部３２１の形状を変化させたもので、それ以外の構成及び機能は第一実施形態の外壁パネル１１と同じである。したがって、第一実施形態の外壁パネル１１と同じ部分については第一実施形態のものと同一の符号を用い、それらについての説明は省略する。
【００６５】
図５に示すように、隣り合う外壁パネル１１間には溝３（第一溝部３１及び第二溝部３２）が形成され、第一溝部３１の両側面には面取部３１１が形成され、第二溝部３２の両側面には、側面部３２１が形成されている。当該側面部３２１は、第一側面部３２１ａと第二側面部３２１ｂとを備えている。第一側面部３２１ａは、外壁パネル１１表面に対し垂直な方向（図５では上下方向）に略平行に延びるように形成されている。第二側面部３２１ｂは、溝３の幅方向（図５では左右方向）の大きさが奥側に向かうにつれて狭くなるように傾斜した面を有し、その一方の端部が第一側面部３２１ａに接続され、他方の端部が底面部３２２に接続される。なお、面取部３１１と第一側面部３２１ａとの境界が出隅部４１１に設定されている。
【００６６】
第一のテープ８１は、第一溝部３１の面取部３１１に貼着されている。第二のテープ８２は、第一側面部３２１ａ、第二側面部３２１ｂ及び底面部３２２に亘って貼着されている。なお、第二のテープ８２は、第一側面部３２１ａ、第二側面部３２１ｂ及び底面部３２２に亘って塗布されたプライマー６１上に貼着されている。
【００６７】
（第四実施形態）
続いて、図６を参照しながら本発明の第四実施形態における外壁パネル１１の構成について説明する。図６は、隣り合う外壁パネル１１間に形成される溝３の概略構成を示す断面図である。図６に示す外壁パネル１１は、第一実施形態で示した外壁パネル１１における段部３１２及び側面部３２１の形状を変化させたもので、それ以外の構成及び機能は第一実施形態の外壁パネル１１と同じである。したがって、第一実施形態の外壁パネル１１と同じ部分については第一実施形態のものと同一の符号を用い、それらについての説明は省略する。
【００６８】
図６に示すように、隣り合う外壁パネル１１間には溝３（第一溝部３１及び第二溝部３２）が形成され、第一溝部３１の両側面には面取部３１１が形成され、第二溝部３２の両側面には、側面部３２１が形成されている。当該側面部３２１は、溝３における奥側（底面側）から外壁パネル１１の表面側に向かって、凸状に湾曲するように設けられている。なお、図６では、側面部３２１が凸状に湾曲した例を示しているが、これに限定されず、その途中で屈曲した形状等、様々な形状が選択され得る。
【００６９】
第一のテープ８１は、第一溝部３１の面取部３１１に貼着されている。第二のテープ８２は、側面部３２１及び底面部３２２に貼着されている。本実施形態において、第一のテープ８１と第二のテープ８２との境界は、湿式シール材非接触領域４１と湿式シール材接触領域４２との境界に対応し、当該境界は入隅部５１１（谷部）に設定されている。
【００７０】
図６では第一のテープ８１と第二のテープ８２とが分離された状態が図示されているが、これに限定されるものではなく、第一のテープ８１と第二のテープ８２とが一体成形された保護テープ（図６では図示せず）により構成してもよい。一体成形された保護テープを溝３に貼着した場合、図６に示す湿式シール材非接触領域４１と湿式シール材接触領域４２との境界が入隅部５１１（谷部）に設定されるものである。このように第一のテープ８１と第二のテープ８２とが一体成形されることにより貼着作業を簡便にすることができる。また湿式シール材非接触領域４１と湿式シール材接触領域４２との境界が入隅部５１１に設定されているので、当該入隅部５１１にカッターナイフ等の刃物を当てて引くことで、第一のテープ８１及び第二のテープ８２の分離作業を容易かつ正確に行うことができる。
【００７１】
以上、本発明の実施形態を説明したが、これは本発明の説明のための例示であって、本発明の範囲をこの実施形態にのみ限定する趣旨ではない。本発明は、他の種々の実施形態でも実施することが可能である。
【符号の説明】
【００７２】
１：外壁
３：溝（目地部）
１１：外壁パネル
１２：隅角
３１：第一溝部
３２：第二溝部
４１：湿式シール材非接触領域
４２：湿式シール材接触領域
５１：シール材
６１：プライマー
８１：第一のテープ
８２：第二のテープ
１９１：ミシン目
３１１：面取部
３１２：段部
３２１：側面部
３２２：底面部
【図１】
2016075111.tif 000003
【図２】
2016075111.tif 000004
【図３】
2016075111.tif 000005
【図４】
2016075111.tif 000006
【図５】
2016075111.tif 000007
【図６】
2016075111.tif 000008